(57)【要約】【課題】  虫等を捕獲した後、網の開口部を地面、または壁面に接地させたままの状態で蓋の開け閉めができ、容易に虫等を網内部へ閉じ込めることができる蓋付き捕獲器を提供する。【解決手段】  方形状からなる、枠体の両側内側にガイドレールを有する枠体と、該枠体を開口部とするように設けられた網袋やカゴ等の収集具であって、前記枠体に設けられた取手と、前記ガイドレールに沿って移動する可動体と、該可動体を移動させる移動機構と、可動体に一辺が固定され、一辺が枠体に固定された網やシート等の遮蔽部材よりなり、可動体と遮蔽部材は移動機構による移動により、枠体を開口させた状態と遮蔽部材により枠体を塞ぐ状態とに相互に切り替えられるものであることを特徴とする蓋付き捕獲器。【選択図】  図１
2006149357.tif 000002
【特許請求の範囲】
【請求項１】
方形状に構成されたガイドレールを有する枠体と、該枠体を開口部とするように設けられた網袋やカゴ等の収集具であって、前記枠体に設けられた取手と、前記ガイドレールに沿って移動する可動体と、該可動体を移動させる移動機構と、可動体に一辺が固定され、一辺が枠体に固定された網やシート等の遮蔽部材よりなり、可動体と遮蔽部材は移動機構による移動により枠体を開口させた状態と遮蔽部材により枠体を塞ぐ状態とに相互に切り替えられるものであることを特徴とする蓋付き捕獲器。
【発明の詳細な説明】
【技術分野】
【０００１】  本発明は、捕獲網の網の枠の内側に細いミゾを設け、そのミゾにレバーでスライドさせて開け閉めできるジャバラ式の遮蔽シート付きの蓋を設け、捕獲網の枠を地面、又は壁面に接地させたままでも蓋の開閉が行える、蓋付き捕獲器に関するものである。
【背景技術】
【０００２】  従来の捕獲網は、枠体に網袋と取手が設けられ、開口部に蓋がなかった。
もしくは、枠体に網袋と取手を設け、該網袋の反対側に、もう一つ口の絞れる蓋用の網袋か、蝶番で開閉する形式の蓋を設けていた。
【発明の開示】
【発明が解決しようとする課題】
【０００３】  そのために、次のような問題点があった。
蓋の無い捕獲網は、虫等を網内部に捕獲した後、開口部から捕獲した虫等が容易に逃げ出してしまっていた。
また、蓋が無いため、網袋をそのまま保管場所にしておくことができず、虫等を捕獲したらすぐに網内部の虫を手で捕獲し直し、別の保管場所へ移動させなければならなかった。その際、虫等が開口部から逃げ出さないように、開口部を地面、または壁面等にぴったり接地させたまま、且つ素早く捕獲作業を行わなければならず、作業は大変困難であった。
次に、網の口を絞る蓋や、蝶番による開閉式の蓋は、網の開口部を地面、または壁面に接地させたままでは使用できないので、虫等を捕獲した後、すぐに蓋を開閉する事は困難であった。そのため、蓋の無い捕獲網や捕獲器と同じように、蓋をする前に虫等が開口部から容易に逃げ出してしまっていた。
本発明は以上の問題点を解決しようとするものである。
【課題を解決するための手段】
【０００４】  方形状からなる、枠体の両側内側にガイドレールを有する枠体と、該枠体を開口部とするように設けられた網袋やカゴ等の収集具であって、前記枠体に設けられた取手と、前記ガイドレールに沿って移動する可動体と、該可動体を移動させる移動機構と、可動体に一辺が固定され、一辺が枠体に固定された網やシート等の遮蔽部材よりなり、可動体と遮蔽部材は移動機構による移動により、枠体を開口させた状態と遮蔽部材により枠体を塞ぐ状態とに相互に切り替えられるものであることを特徴とする蓋付き捕獲器。
【発明の効果】
【０００５】  本発明は、虫等を網に捕獲した後、網の開口部を地面、または壁面に接地させたままでも操作できる蓋で、虫等を容易に網内部に閉じ込められるようにした。
また、捕獲器をそのまま簡易保管場所にしておくこともできるようになった。その為、虫を性急に別の保管場所へ移動させる必要がなくなり、虫等の捕獲と保管の作業を大変容易にした。
また、危険な虫や動きの激しい虫等を捕獲する場合も、余裕を持って作業ができるようになった。
さらに、網部分を水中につけたまま、手を濡らす事なく容易に蓋を閉められるので、魚類を捕獲して水から上げた際に捕獲した魚類が飛び跳ねて網から逃げ出す事も無くなった。
【発明を実施するための最良の形態】
【０００６】以下、本発明の実施の形態を説明する。
本発明は枠体（１）と枠体（１）に取り付けられた網袋（２）と、枠体（１）に設けられた取手（３）と、枠体（１）に設けられたガイドレール（８）を移動する可動枠（４）と、ガイドレール（８）の下部に設けられたストッパー（１２）と、可動枠（４）を操作する操作機構のスライド軸（６）と、可動枠（４）と枠体（１）の間に設けられた遮蔽シート（５）より構成される。
以下、各構成について具体的に説明する。
（イ）枠体（１）は、表面がフラット状になった方形の枠よりなる。枠体（１）の左右        の内側には対向する位置で縦方向に伸びたガイドレール（８）が各々設けられて        いる。枠体（１）の上枠内側には、ガイドレール（８）の上部から遠接され結合        するように溝（８）が設けられている。枠体（１）の下枠中央には、下枠内側か        ら下枠外側に垂直に貫通する枠穴（１１）が設けられている。
（ロ）枠体（１）に取り付けられた網袋（２）は、枠体（１）の中央を開口部（１０）        とするように、枠体（１）の片面の全辺にわたって取り付けられている。
（ハ）枠体（１）に設けられた取手（３）は、棒の上下端部内部とも開口している中空        状の棒よりなり、枠体（１）下枠中央に設けられている枠穴（１１）の位置に、        枠穴（１１）を塞がないように、枠体（１）下枠の外側から枠体（１）に対して        垂直に取り付けられている。
（ニ）枠体（１）に設けられたガイドレール（８）を移動する可動枠（４）は、左右の        ガイドレール（８）に対して垂直になるように、左右のガイドレール（８）を渡        しかけるように取り付けられ、枠体（１）の上下辺に対して平行のままでガイド        レール（８）に沿って枠体（１）の内部を上下に可動できるように設けられた一        本の棒よりなる。
（ホ）ガイドレール（８）の下部に設けられたストッパー（１２）は、薄い方形の板よ        りなり、該板の広い面を水平にした状態で、ガイドレール（８）の左右各々の下        部にガイドレール（８）の上下に対して垂直に取り付けられている。
（ヘ）可動枠（４）を操作する操作機構のスライド軸（６）は、枠体（１）に設けられ        た取手（３）の内部を通り、枠穴（１１）を貫通して、可動枠（４）の下部中央        に可動枠（４）に対して水平に取り付けられている。
（ト）可動枠（４）と枠体（１）の間に設けられた遮蔽シート（５）は、開口部（１０        ）と同じ大きさの方形の網等かならなり、一辺を可動枠（４）に、その反対側の        一辺を枠体（１）の下枠の内側に各々隙間無く取り付けてあり、左右辺は広げる        と各々左右のガイドレール（８）に密着するようになっている。
本発明は、以上の構成によりなっている。
本発明を使用するときは、まず取手（３）を持ち、次に可動枠（４）を、スライド軸（６）の握り手（７）を持って、ガイドレール（８）に沿って手前に引き、可動枠（４）がストッパー（１２）より手前に来るようにする。蓋付き捕獲器の開口部（１０）を開口した状態で網袋（２）の内部に虫を捕獲する。
網袋（２）の内部に虫がいる状態で、可動枠（４）を、スライド軸（６）の握り手（７）を持ち、ガイドレール（８）に沿ってストッパー（１２）より奥へ押していくと、遮蔽シート（５）が伸び、開口部（１０）を塞ぎ、網袋（２）の蓋となり容易に内部に虫を閉じ込めることができる。
また、虫等の一時保管場所にもなるので、網袋（２）に捕獲した虫等を、性急に別の保管場所へ移動させる必要がなくなった。
また、従来の蝶番で開閉する方式の蓋の付いた捕獲器は、開口部を地面、または壁面に接地させたままでは蓋の開閉が行えなかったが、本発明は、可動枠（４）が枠体（１）の内側に設けてあるため、可動枠（４）の動きが地面、または壁面に阻害されることが無い。よって、開口部（１０）を接地させ、地面、または壁面を網袋（２）の蓋代わりにして虫を網袋（２）の内部に閉じ込めた状態のまま、更に遮蔽シート（５）で開口部（１０）を遮蔽する事ができるので、虫を網袋（２）の内部へ閉じ込めるのが大変容易になった。
更に、遮蔽シート（５）の開閉作業はスライド軸（６）で行えるので、水中でも容易に開閉作業が行える。よって、水で手を濡らす事もないし、魚を捕獲後、水から揚げた時に魚が激しく跳ねても網袋（２）から捕獲した魚が簡単に逃げ出す事もなくなった。
また、遮蔽シート（５）は、開口部（１０）を開口した状態では小さく折り畳まれるため、捕獲作業の邪魔になることがない。
また、ストッパー（１２）があるので、作業中に勝手にスライド軸（６）や可動枠（４）が動いて、遮蔽シート（５）で誤って開口部（１０）を塞いでしまうこともない。
【図面の簡単な説明】
【０００７】
【図１】本発明の斜視図
【図２】本発明の遮蔽シートを閉じた状態を示す斜視図
【図３】本発明のＡ−Ａ′断面図
【符号の説明】
【０００８】    １    枠体
２    網袋
３    取手
４    可動枠
５    遮蔽シート
６    スライド軸
７    握り手
８    ガイドレール
９    溝    １０  開口部
１１  枠穴
１２  ストッパー
【図１】
2006149357.tif 000003
【図２】
2006149357.tif 000004
【図３】
2006149357.tif 000005